(57)【要約】【課題】より少ない操作で一連の機能を装置に設定することのできる機能設定装置を提供する。【解決手段】ユーザが複数の機能を有する電気機器の機能を設定するための機能設定装置であって、特定の機能があらかじめ割り付けられた複数の機能キーを機能設定画面に表示する表示手段５４ａと、ユーザが前記機能キーを押圧し、押圧したまま前記機能設定画面上の特定の位置までドラッグし前記特定の位置で押圧解除する機能設定操作を受け付ける受付手段５４ｆと、受付手段５４ｆにより受け付けられてドラッグアンドドロップ操作の対象となった機能キーに割り付けられた機能を前記電気機器に対して実行可能に設定する機能設定手段５４ｆとを備えることを特徴とする機能設定装置。【選択図】  図４
2005007579.tif 000002
【特許請求の範囲】
【請求項１】
ユーザが複数の機能を有する電気機器の機能を設定するための機能設定装置であって、
特定の機能があらかじめ割り付けられた複数の機能キーを機能設定画面に表示する表示手段と、
ユーザが前記機能キーを押圧し、押圧したまま前記機能設定画面上の特定の位置までドラッグし前記特定の位置で押圧解除する機能設定操作を受け付ける受付手段と、
前記受付手段により受け付けられてドラッグアンドドロップ操作の対象となった機能キーに割り付けられた機能を前記電気機器に対して実行可能に設定する機能設定手段とを備えることを特徴とする機能設定装置。
【請求項２】
ユーザが複数の機能を有する電気機器の機能を設定するための機能設定装置であって、
特定の機能があらかじめ割り付けられた複数の機能キーを機能設定画面に表示する表示手段と、
ユーザが前記機能キーをダブルクリックした後に前記機能設定画面上の特定の位置をダブルクリックする機能設定操作を受け付ける受付手段と、
前記受付手段により受け付けられて前記機能設定操作の対象となった機能キーに割り付けられた機能を前記電気機器に対して実行可能に設定する機能設定手段とを備えることを特徴とする機能設定装置。
【請求項３】
前記機能設定画面上の特定の位置は前記電気機器の形状を模した機器アイコンが表示される場所であることを特徴とする請求項１または２に記載の機能設定装置。
【請求項４】
前記機器アイコンのうち前記機能設定手段により設定された機能に関連する前記機器アイコンの部分の表示を通常とは異なる表示とする設定機能表示手段を更に備えることを特徴とする請求項３に記載の機能設定装置。
【請求項５】
前記機能のうち同時に機能設定することが不可能な機能の排他関係を記憶する記憶手段と、
前記機能設定を行ったときには、前記記憶手段を参照することにより前記機能設定手段により設定された機能と前記排他関係にある機能に係る機能キーの表示を変化させる排他機能表示手段とを更に備えることを特徴とする請求項１〜４のいずれかに記載の機能設定装置。
【請求項６】
前記機能設定手段は前記排他関係にある機能が既に機能設定されていたときに、先に機能設定された機能を解除すると共に後に機能設定された機能を有効とすることを特徴とする請求項１〜５のいずれかに記載の機能設定装置。
【請求項７】
前記排他関係にある機能が既に機能設定されていたときに前記受付手段により機能設定操作が受け付けられた場合、前記排他関係にある機能が既に機能設定されている旨を表示すると共にどちらの機能設定を有効にするかをユーザに問い合わせる排他的機能選択手段を更に備えることを特徴とする請求項１〜５のいずれかに記載の機能設定装置。
【請求項８】
登録までに行われた一連の前記機能設定による設定機能情報を記憶する設定登録手段と、所定のキーを選択することにより記憶した前記設定機能情報を基に機能設定を行う機能設定短縮手段とを更に備えることを特徴とする請求項１〜７のいずれかに記載の機能設定装置。
【請求項９】
前記表示手段は前記機能設定画面上に第１および第２の機器アイコンを表示し、
前記第１の機器アイコンを使用した前記機能設定の設定情報は第１の設定機能情報として記憶し、前記第２の機器アイコンを使用した前記機能設定の設定情報は第２の設定機能情報として記憶する複数設定記憶手段と、
前記電気機器の運転が終了したときに自動的に前記第２の設定機能情報を前記第１の設定機能情報とする設定機能情報シフト手段と、
前記電気機器が運転中である場合には前記第１の機器アイコンを使用した機能設定を禁止する機能設定制限手段とを更に備え、前記電気機器は前記第１の設定機能情報を使用して運転されることを特徴とする請求項３〜８に記載の機能設定装置。
【請求項１０】
請求項１〜９のいずれかに記載の機能設定装置を備えることを特徴とする画像形成装置。
【発明の詳細な説明】
【０００１】
【発明の属する技術分野】
本発明は、ユーザが複数の機能を有する電気機器の機能を設定するための機能設定装置および機能設定装置を備える画像形成装置に関する。
【０００２】
【従来の技術】
従来の画像形成装置等の電気機器における機能設定装置には、例えば特許文献１に示されるような、所望の機能が割付可能なショートカットキーを備える操作装置がある。本従来技術に係る操作装置は、画像形成装置または画像読取装置に備えられる操作装置において、特定の機能があらかじめ割り付けられた複数の機能キーとともに割付指示キーを備える複数の機能設定画面、および前記複数の機能の中の任意の機能を割り付けることの出来るショートカットキーを備えるショートカットキー表示画面が表示可能な表示部と、前記機能キーおよび前記ショートカットキーが選択されると、その選択されたキーに割り付けられた機能を前記画像形成装置または画像読取装置に対して実行可能に設定する機能設定部と、前記割付指示キーが選択されると、その割付指示キーを備える機能設定画面が前記表示部に表示されるまでに設定された一連の機能を前記ショートカットキーに割り付ける機能割付け部とを備えるものである（特許文献１参照）。
【０００３】
また、例えば特許文献２に示されるような、所謂ドラッグアンドドロップ操作によって機能設定を行うものがある。本従来技術に係る入力表示装置は、条件を設定可能な条件キーを配置した複数の設定画面（条件設定画面）と、上記複数の設定画面のうちの１つを入力可能な状態に表示する切換手段（設定画面の条件キー）と、上記条件キーによる条件の入力に対応して条件を表示するアイコンと、上記複数の設定画面と上記アイコンとを表示する表示手段（液晶ディスプレイ等）とを備えた入力表示装置において、上記アイコンは、上記切換手段で切り換わる上記複数の設定画面の条件キーにより入力される複数の条件を統合的に表示すると共に、上記条件キーによる条件の入力に対応した条件アイコンは、ドラッグして統合的に表示された仕上がりアイコン上に移動可能とするものである（特許文献２参照）。
【０００４】
【特許文献１】
特開２００２−３５４１７０号公報
【特許文献２】
特開２００２−８４３８９号公報
【０００５】
【発明が解決しようとする課題】
上記従来技術において、一連の機能のショートカットキーへの割り付けを行うためにはまず割り付けたい機能を選択し、前記機能の詳細機能設定画面（機能の内容を設定するための画面）が開かれた後前記詳細機能設定画面上でショートカットキーへの割付けを行い、この画面を閉じる必要があるため、一つの機能を選択するのに最低３回のキー操作が必要であった。
【０００６】
本発明は、上記問題点を解決するためになされたものであり、ドラッグアンドドロップ操作を一連の機能のショートカットキーへの割付操作にドラッグアンドドロップ操作を使用することにより少ない操作回数で一連の機能のショートカットを作成することが目的である。
【０００７】
【課題を解決するための手段】
請求項１に係る機能設定装置は、ユーザが複数の機能を有する電気機器の機能を設定するための機能設定装置であって、特定の機能があらかじめ割り付けられた複数の機能キーを機能設定画面に表示する表示手段と、ユーザが前記機能キーを押圧し、押圧したまま前記機能設定画面上の特定の位置までドラッグし前記特定の位置で押圧解除する機能設定操作を受け付ける受付手段と、前記受付手段により受け付けられてドラッグアンドドロップ操作の対象となった機能キーに割り付けられた機能を前記電気機器に対して実行可能に設定する機能設定手段とを備えることを特徴とする。
【０００８】
この構成によれば、一連の機能が割り付けられたショートカットを作成するのに、ショートカットに割り付けたい機能の機能キーをドラッグし特定の位置にドロップするドラッグアンドドロップ操作を一連の機能の数分だけ行うことにより割り付けられるので、機能をより簡単で少ない操作でショートカットに割り付けることが出来る。
【０００９】
請求項２に係る機能設定装置は、ユーザが複数の機能を有する電気機器の機能を設定するための機能設定装置であって、特定の機能があらかじめ割り付けられた複数の機能キーを機能設定画面に表示する表示手段と、ユーザが前記機能キーをダブルクリックした後に前記機能設定画面上の特定の位置をダブルクリックする機能設定操作を受け付ける受付手段と、前記受付手段により受け付けられて、前記機能設定操作の対象となった機能キーに割り付けられた機能を前記電気機器に対して実行可能に設定する機能設定手段とを備えることを特徴とする。
【００１０】
この構成によれば、一連の機能が割り付けられたショートカットを作成するのに、ショートカットに割り付けたい機能に対応した機能キーをダブルクリックした後に特定の位置をダブルクリックする操作を一連の機能の数分だけ行うことにより割り付けられるので、一連の機能をより簡単で少ない操作でショートカットに割り付けることが出来る。
【００１１】
請求項３に係る機能設定装置は、上記構成において、前記機能設定画面上の特定の位置は前記電気機器の形状を模した機器アイコンが表示される場所であることを特徴とする。この構成によれは、前記機能設定操作においてドロップまたはダブルクリックする場所に前記電気機器の形状を模した機器アイコンが表示されているので、ユーザにとって操作の方法がわかりやすい。
【００１２】
請求項４に係る機能設定装置は、上記構成に加えて、前記機器アイコンのうち前記機能設定手段により設定された機能に関連する前記機器アイコンの部分の表示を通常とは異なる表示とする設定機能表示手段を更に備えることを特徴とする。この構成によれば、設定した機能について装置を模したアイコンの対応する部分の表示が通常とは違った表示方法で表示されるので設定した機能が何であったかを認識しやすい。
【００１３】
請求項５に係る機能設定装置は、上記構成に加えて、前記機能のうち同時に機能設定することが不可能な機能の排他関係を記憶する記憶手段と、前記機能設定を行ったときには、前記記憶手段を参照することにより前記機能設定手段により設定された機能と前記排他関係にある機能に係る機能キーの表示を変化させる排他機能表示手段とを更に備えることを特徴とする。この構成によればユーザは既に設定した機能と排他関係にある機能を認識しやすいので、排他関係にある機能を両方設定してしまう等の間違いを犯しにくい。
【００１４】
請求項６に係る機能設定装置は、上記構成において、前記機能設定手段は前記排他関係にある機能が既に機能設定されていたときに、先に機能設定された機能を解除すると共に後に機能設定された機能を有効とすることを特徴とする。この構成によればユーザが既に設定した機能と排他関係にある機能を設定した場合には、自動的に先に設定された機能を解除し後に設定した機能を有効にするので、排他関係にある機能が両方設定されてしまうことがない。
【００１５】
請求項７に係る機能設定装置は、上記構成に加えて、前記排他関係にある機能が既に機能設定されていたときに前記受付手段により機能設定操作が受け付けられた場合、前記排他関係にある機能が既に機能設定されている旨を表示すると共にどちらの機能設定を有効にするかをユーザに問い合わせる排他的機能選択手段を更に備えることを特徴とする。この構成によれば、ユーザが既に設定した機能と排他関係にある機能を設定した場合には、ユーザがどちらの機能を本当に設定したいのかを選択できるので、排他関係にある機能が両方設定されてしまうことがない。また、ユーザが望むまない機能を設定してしまうことがない。
【００１６】
請求項８に係る機能設定装置は、上記構成に加えて、登録までに行われた一連の前記機能設定による設定機能情報を記憶する設定登録手段と、所定のキーを選択することにより記憶した前記設定機能情報を基に機能設定を行う機能設定短縮手段とを更に備えることを特徴とする。この構成によれば、ユーザが設定した機能群を一括して登録でき登録した機能群を一度に呼び出し、装置に設定することが出来るので、ユーザは簡単に装置を好みの設定状態にすることが出来る。
【００１７】
請求項９に係る機能設定装置は、上記構成に加えて、前記表示手段は前記機能設定画面上に第１および第２の機器アイコンを表示し、前記第１の機器アイコンを使用した前記機能設定の設定情報は第１の設定機能情報として記憶し、前記第２の機器アイコンを使用した前記機能設定の設定情報は第２の設定機能情報として記憶する複数設定記憶手段と、前記電気機器の運転が終了したときに自動的に前記第２の設定機能情報を前記第１の設定機能情報とする設定機能情報シフト手段と、前記電気機器が運転中である場合には前記第１の機器アイコンを使用した機能設定を禁止する機能設定制限手段とを更に備え、前記電気機器は前記第１の設定機能情報を使用して運転されることを特徴とする。
【００１８】
この構成によれば、本機能設定装置は２種類の機能設定を記憶することが出来るとともに前記２種類の機能設定に対する設定操作を機能設定画面上の別の場所を使用して行うことが出来るので、電気機器が運転中で機能設定が使用されている最中でも別の機能設定を行うことが出来る。
【００１９】
【発明の実施の形態】
以下、本発明の一実施の形態を、画像送信装置の一例であるデジタル複合機に備えられる機能設定装置について図面を参照しながら説明する。図１は、本発明の一実施の形態によるデジタル複合機の機械的構成を主に示す側面概略図である。
【００２０】
デジタル複合機１は、スキャナ機能、ファクシミリ機能、プリンタ機能、及びコピー機能等の複合機能を備えたデジタル方式の複写機である。デジタル複合機１では、上記の各機能を組み合わせて種々の機能が実現される。
【００２１】
デジタル複合機１は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００とから構成される。
【００２２】
操作部４００は、タッチパネル４０１、スタートキー４０２及びテンキー４０３等を備える。タッチパネル４０１は、種々の操作画面を表示するとともに、ユーザが種々の操作指令を入力するための種々の操作ボタン等を表示する。スタートキー４０２は、ユーザがコピー実行指令等を入力するために用いられ、テンキー４０３は、コピー部数等を入力するために用いられる。
【００２３】
原稿給送部６００は、原稿載置部６０１、原稿排出部６０２、給紙ローラ６０３及び原稿搬送部６０４等を備え、原稿読み取り部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。スキャナ５０１は搬送される原稿を順次読み取り、読み取られた原稿は原稿排出部６０２に排出される。
【００２４】
本体部２００は、複数の給紙カセット２０１、複数の給紙ローラ２０２、転写ローラ２０３、感光体ドラム２０４、露光装置２０５、現像装置２０６、定着ローラ２０７、排出口２０８、及び排出トレイ２０９等を備える。
【００２５】
感光体ドラム２０４は、矢印方向に回転しながら帯電装置（図示省略）によって一様に帯電される。露光装置２０５は、原稿読み取り部５００において読み取られた原稿の画像データに基づいて生成された変調信号をレーザ光に変換して出力し、感光体ドラム２０４に静電潜像を形成する。現像装置２０６は、所定の現像剤を感光体ドラム２０４に供給してトナー画像を形成する。
【００２６】
一方、給紙ローラ２０２は、用紙が収納された給紙カセット２０１から用紙を引き出し、転写ローラ２０３まで給送する。転写ローラ２０３は、搬送された用紙に感光体ドラム２０４上のトナー像を転写させ、定着ローラ２０７は、転写されたトナー像を加熱して用紙に定着させる。その後、用紙は、本体部２００の排出口２０８から用紙後処理部３００に搬入される。また、用紙は、必要に応じて排出トレイ２０９へも排出される。
【００２７】
用紙後処理部３００は、搬入口３０１、用紙搬送部３０２、搬出口３０３及びスタックトレイ３０４等を備える。用紙搬送部３０２は、排出口２０９から搬入口３０１に搬入された用紙を順次搬送し、最終的に搬出口３０３からスタックトレイ３０４へ用紙を排出する。スタックトレイ３０４は、搬出口３０３から搬出された用紙の集積枚数に応じて矢印方向に上下動可能に構成されている。
【００２８】
図２は、図１に示すデジタル複合機１の電気的構成を主に示すブロック図である。デジタル複合機１は、スキャナ部１１、画像処理部２１、プリンタ部３１、制御部４１、操作パネル部５１、ファクシミリ通信部６１、ネットワークＩ／Ｆ（インターフェース）部６２、パラレルＩ／Ｆ部６３、シリアルＩ／Ｆ部６４及びＨＤＤ（ハードディスクドライブ）６５を備える。
【００２９】
スキャナ部１１、画像処理部２１、制御部４１、操作パネル部５１及びネットワークＩ／Ｆ部６２は、図１に示す操作部４００、原稿読み取り部５００及び原稿給送部６００に相当し、これらの各部によりスキャナ機能が実現される。スキャナ部１１、画像処理部２１、プリンタ部３１、制御部４１、操作パネル部５１及びファクシミリ通信部６１は、図１に示す本体部２００、操作部４００、原稿読み取り部５００及び原稿給送部６００に相当し、これらの各部によりファクシミリ機能が実現される。画像処理部２１、プリンタ部３１、制御部４１、操作パネル部５１、ネットワークＩ／Ｆ部６２及びパラレルＩ／Ｆ部６３は、図１に示す本体部２００及び操作部４００に相当し、これらの各部によりプリンタ機能が実現される。スキャナ部１１、画像処理部２１、プリンタ部３１、制御部４１、操作パネル部５１及びネットワークＩ／Ｆ部６２は、図１に示す本体部２００、用紙後処理部３００、操作部４００、原稿読み取り部５００及び原稿給送部６００に相当し、これらの各部によりコピー機能が実現される。
【００３０】
操作パネル部５１は、図１に示すタッチパネル４０１等から構成されるタッチパネル部５２、図１に示すスタートキー４０２及びテンキー４０３等から構成される操作キー部５３、操作パネル部を制御する操作パネル制御部５４、及び操作に係る情報を記憶する記憶部５５を含む。操作パネル部５１は、ユーザがスキャナ機能、ファクシミリ機能、プリンタ機能、コピー機能等に関する操作を行うために使用され、ユーザによる操作指令等を制御部４１に与える。タッチパネル部５２は、タッチパネルとＬＣＤ（Ｌｉｑｕｉｄ  Ｃｒｙｓｔａｌ  Ｄｉｓｐｌａｙ）とを組み合わせたタッチパネルユニット等から構成され、種々の操作画面、例えば、コピー機能実行時には、原稿サイズ、コピーサイズ、印刷部数等に関する情報を表示するとともに、ユーザが当該部分をタッチすることにより種々の操作指令を入力するための操作ボタン等を表示する。操作キー部５３は、ユーザがコピー実行指令等を入力するために用いられる。
【００３１】
制御部４１は、スキャナコントローラ４２、ファクシミリコントローラ４３、プリンタコントローラ４４及びコピーコントローラ４５として機能する。制御部４１は、マイクロコンピュータ及び専用のハードウエア回路等から構成され、装置全体の動作を制御する。スキャナコントローラ４２は、スキャナ機能を実現するために用いられる各部の動作を制御する。ファクシミリコントローラ４３は、ファクシミリ機能を実現するために用いられる各部の動作を制御する。プリンタコントローラ４４は、プリンタ機能を実現するために用いられる各部の動作を制御する。コピーコントローラ４５は、コピー機能を実現するために用いられる各部の動作を制御する。
【００３２】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００３３】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、プリンタ部３１、ファクシミリ通信部６１又はネットワークＩ／Ｆ部６２等へ出力する。補正部２２は、読み取られた画像データに対してレベル補正、Ｙ補正等の所定の補正処理を行う。画像加工部２３は、画像データの圧縮又は伸張処理、及び拡大又は縮小処理等の種々の加工処理を行う。
【００３４】
プリンタ部３１は、図１に示す給紙カセット２０１及び給紙ローラ２０２等から構成される用紙搬送部３２、図１に示す感光体ドラム２０４、露光装置２０５、現像装置２０６等から構成される画像形成部３３、図１に示す転写ローラ２０３等から構成される転写部３４、及び図１に示す定着ローラ２０７等から構成される定着部３５を含む。プリンタ部３１は、スキャナ部１１により読み取られた原稿データ、ネットワークＩ／Ｆ部６２を介してＬＡＮ（Ｌｏｃａｌ  Ａｒｅａ  Ｎｅｔｗｏｒｋ）によりクライアントＰＣ（パーソナルコンピュータ）等から送信された印刷データ、ファクシミリ通信部６１を用いて外部のファクシミリ装置等から受信したファクスデータ等の画像データを用いて画像を用紙に印刷する。具体的には、用紙搬送部３２は用紙を画像形成部３３へ搬送し、画像形成部３３は上記の画像データに対応するトナー像を形成し、転写部３４はトナー像を用紙に転写し、定着部３５はトナー像を用紙に定着させて画像を形成する。
【００３５】
ファクシミリ通信部６１は、符号化／復号化部（図示省略）、変復調部（図示省略）及びＮＣＵ（Ｎｅｔｗｏｒｋ  Ｃｏｎｔｒｏｌ  Ｕｎｉｔ）（図示省略）を含む。ファクシミリ通信部６１は、スキャナ部１１によって読み取られた原稿の画像データを電話回線を介してファクシミリ装置等へ送信したり、ファクシミリ装置等から送信された画像データを受信する。符号化／復号化部は、送信する画像データを圧縮・符号化し、受信した画像データを伸長・復号化する。変復調部は、圧縮・符号化された画像データを音声信号に変調したり、受信した信号（音声信号）を画像データに復調する。ＮＣＵは、送受信先となるファクシミリ装置等との電話回線による接続を制御する。
【００３６】
ネットワークＩ／Ｆ部６２は、ネットワークインタフェース（１０／１００Ｂａｓｅ−ＴＸ）等を用い、ＬＡＮを介して接続されたクライアントＰＣ等に対する種々のデータの送受信を制御し、例えば、クライアントＰＣ等から送信された印刷データ等を受信する。パラレルＩ／Ｆ部６３は、高速双方向パラレルインターフェイス（ＩＥＥＥ１２８４準拠）等を用い、複数の信号線を用いて複数ビット単位でデータを送信するパラレル伝送により外部機器等から印刷データ等を受信等する。シリアルＩ／Ｆ部６４は、シリアルインターフェイス（ＲＳ−２３２Ｃ）等を用い、単一の信号線を用いて１ビットずつ順次データを送るシリアル伝送により外部機器等から種々のデータ等を受信等する。
【００３７】
ＨＤＤ６５は、スキャナ部１１によって読み取られた画像データ及び当該画像データに設定されている出力形式等の種々のデータ等を記憶する。ＨＤＤ６５に記憶されている画像データは、デジタル複合機１内部で使用されるだけでなく、必要に応じて、ネットワークＩ／Ｆ部６２を介してクライアントＰＣ等から確認したり、クライアントＰＣ等の所定のフォルダへ転送される。
【００３８】
上記のように、デジタル複合機１は、スキャナ機能、ファクシミリ機能、プリンタ機能、コピー機能等の種々の機能を実行可能なように構成されており、これらの操作を前記操作パネル部５１により行う。本実施例においては、デジタル複合機１を特に複写機として使用する場合を例に採り説明を行う。本デジタル複合機を複写機として使用する場合には、操作パネル部５１へのユーザの入力に基づいた実行に対する諸条件である詳細設定情報５５ｃおよび実行指示が操作パネル部５１から制御部４１へ送られ、制御部４１から操作パネル部５１へはエラー情報等のユーザへフェードバックすべき情報等が送られる。
【００３９】
記憶部５５は操作パネル部を使用してユーザにより行われた設定等の情報を記憶する。図３は、本デジタル複合機１を複写機として使用する場合の機能設定操作に関して記憶部５５に記憶される情報を示したブロック図である。記憶部５５は、同時に設定することができない機能の関係に関する情報である機能排他情報５５ａ、本デジタル複合機１を実行するときに使用される各機能の詳細設定内容のデフォルト値であるデフォルト設定情報５５ｂ、ユーザが設定した各機能の詳細設定内容を保持する詳細設定情報５５ｃ、デフォルト設定情報５５ｂの代わりに詳細設定情報５５ｃを使用する機能の一覧である設定機能情報５５ｄ、各機能とその機能に関連する複合機アイコンの部分位置の関係である機器アイコン対応情報５５ｅ、および前記設定機能情報５５ｄに格納された各機能の詳細設定情報を機能名とともに記憶しておく設定登録情報５５ｆを記憶する。
【００４０】
操作制御部５４は操作パネル部５１全体の動作を制御する。図４は、本デジタル複合機１を複写機として使用する場合の機能設定操作に関する操作制御部５４の制御を示したブロック図である。本発明に係る操作制御部５４の機能には表示制御を行うものとして機能設定画面表示部５４ａ、設定機能表示部５４ｂ、排他機能表示部５４ｃ、機能解除メッセージ表示部５４ｄ、及び機能設定画面表示部５４ｅがあり、入力に対する制御として機能設定部５４ｆ、機能詳細設定部５４ｇ、設定登録部５４ｈ、及び登録呼出部５４ｉ、その他の制御として実行制御部５４ｊがある。
【００４１】
機能設定画面表示部５４ａは、タッチパネル部５１に図５に示すような機能設定を行うための画面を表示する制御である。ここで機能設定とは、コピーを実行する際に使用される変更可能な値を有する機能の内、ユーザが明示的に値を設定したい機能を選択することである。機能設定画面は図５（ａ）に示す基本画面と図５（ｂ）に示す機能リスト画面の２枚の画面から構成される。基本画面は「基本」タグ５２ｃを持ち、ユーザが「基本」タグ５２ｃを選択することにより基本画面が（上位に）表示される。複写機の初期状態においては基本画面が表示される。基本画面上には少なくとも濃度設定、用紙設定、縮小／拡大の各機能に対する機能キー（例えば、５２ａは濃度設定の機能キー）が表示されており、これらの各機能キー上には機能名称が表示されている（濃度設定、用紙設定、縮小／拡大が機能名称）。これらの機能に対しては設定値の表示が機能キーの上方に機能キーとは別に行われている。例えば、濃度設定の機能キーの上方には濃度が「４」に設定されたバー５２ｂが表示されている。これらの３つの機能はユーザが特に頻繁に値を変更したい機能であるので他の機能と比較して特別に扱われる。これら以外に例えば通常複数の機能キーが基本画面上に表示されており（例えば、図５（ａ）において原稿の画質、原稿サイズ、集約、ソート、ページ付け）、各機能キー上には機能名と設定値が表示されている。例えば、原稿の画質の機能キー上には機能名「原稿の画質」と設定値「文字」が表示されている。これは原稿の画質を文字を複写する場合に適した画質にするという意味の設定である。本デジタル複合機を立ち上げ直後に複写機として使用する場合には初期状態として濃度設定、用紙設定、および縮小／拡大の３機能が基本画面に表示される。この場合の設定値はデフォルト設定情報５５ｂから取得する。
【００４２】
基本画面上に表示されている機能キーは現時点における実行条件を表しており、現時点でスタートキー４０２をユーザが押すと基本画面に表示された実行条件でコピーが実行される。基本画面上には本デジタル複合機１が複写機能として有する全ての機能の機能キーが表示されているとは限らない。基本画面に表示されている機能キー以外の機能に対してはデフォルト設定情報５５ｂに格納されている各機能のデフォルト値が使用される。また、基本画面上の機能キーをドラッグし「機能リスト」タグ５２ｄ上にドロップすると当該機能キーは基本画面上から消去される。この場合、当該機能キーに係る機能に関しては以後デフォルト値が使用されることとなる。ただし、前記濃度設定、用紙設定および縮小／拡大の機能キーに関してはこの操作は行えない。つまり基本画面上から消去することは出来ない。例えば通常、比較的頻繁に変更される機能のみを基本画面に表示しておくとよい。この操作により基本画面上から消去された機能は同時にコピーの実行時に使用される機能の設定から解除されたこととなる。機能解除の制御は機能設定部５４ｆを説明する部分で述べる。
【００４３】
機能リスト画面は「機能リスト」タグ５２ｄを持ち、ユーザが「機能リスト」タグ５２ｄを選択することにより機能リスト画面が（上位に）表示される。機能リスト画面上には本デジタル複合機１を複写機として使用する場合に設定可能な全ての機能の機能キーが表示されている。機能キーには通常表示（例えば、白地に黒の文字で、例えば図５（ｂ）における「原稿サイズ混在」機能キー）されているものと反転表示（例えば、黒地に白抜き文字で、例えば図５（ｂ）における「ソート」機能キー）されているものがある。
【００４４】
反転表示されているものは基本画面に表示されている機能キーと同一で、コピーの実行が行われた場合には機能キー上に表示されている設定値で実行が行われる。通常表示された機能キーは基本画面上には表示されていない機能キーで、コピーの実行が行われた場合にはデフォルト値が使用される。通常表示の機能キー上には設定値が表示されない。機能リスト画面上にある機能キーを基本画面上に表示したい場合は、機能リスト画面上で目的の機能の機能キーをドラッグして「基本」タグ５２ｃまたは画面右端に表示されている本デジタル複合機を模したアイコン５２ｅ上にドロップすれば当該機能キーが基本画面上に表示される。この場合、基本画面に表示された機能キーは機能リスト画面上で反転表示される。この操作により基本画面に表示された機能は同時にコピーの実行時に使用される機能として設定されたことになる。機能設定の制御に関しては機能設定部５４ｆで述べる。
【００４５】
設定機能表示部５４ｂは、前記機能リスト画面において前記機能設定が行われた場合、前記複合機アイコン５２ｅ上の当該機能に関連する部分の表示を通常の表示（例えば、白表示）と異なる表示に変更する制御を行う。例えば図５（ｂ）に示すように用紙サイズの設定が行われた場合には複合機アイコン５２ｅ上の給紙カートリッジの部分（１と表示された部分）を反転表示（例えば、黒表示）する。これは例えば点滅表示（例えば、黒と白を交互に表示）等でもよい。機能設定された機能に関連する複合機アイコンの部分を表示するために設定機能表示部５４ｂは機能アイコン対応情報５５ｅから当該機能に対応するアイコン部分の情報を取得する。
【００４６】
排他機能表示部５４ｃは、前記機能リスト画面において前記機能設定が行われた場合、当該機能に同時に設定することができない排他関係にある機能があれば、当該排他機能の機能キーの表示を通常とは違う表示にする制御を行う。例えば自動倍率選択と自動用紙選択は排他機能であるので、自動倍率選択が行われた場合には自動用紙選択キーを網掛け表示する。機能設定操作が行われた場合に排他機能表示部５４ｃは機能排他情報５５ａに設定された機能があるか否かを検索し、あれば上記機能と排他関係にある機能の名称を取得し、その機能に係る機能キーを例えば網掛け表示しする。なければ排他関係にある機能がないということなので排他機能表示を行う必要はない。
【００４７】
機能解除メッセージ表示部５４ｄは、前記機能リスト画面において前記機能設定操作が行われた後、当該機能と排他関係にある機能の機能設定が行われた場合に、既に機能設定が行われていた方の機能を自動的に解除した旨のメッセージを前記タッチパネル５２上に表示する制御を行う。例えば自動倍率選択が設定された後に自動用紙選択が設定された場合には「自動倍率選択を解除します。」というメッセージをタッチパネル５２上に表示する。機能解除メッセージ表示部５４ｄは機能設定部５４ｆから機能解除メッセージ表示指示および解除する機能名称を受信することにより上記メッセージを表示する。
【００４８】
詳細設定画面表示部５４ｅは、各機能キーに係る機能の内容を設定するための画面である機能詳細設定画面を表示する制御を行うもので、基本画面または機能リスト画面で機能キーをユーザがクリックすることにより表示される。
【００４９】
機能設定部５４ｆは、設定制御としてユーザが機能リスト画面で機能キーをドラッグし複合機アイコン５２ｅ上または「基本」タグ５２ｃ上でドロップした場合に当該機能キーに係る機能をコピーの実行時に使用する機能として記憶する制御、および解除制御としてユーザが基本画面で機能キーをドラッグし「機能リスト」タグ５２ｄ上でドロップした場合に当該機能キーに係る機能をコピーの実行時に使用する機能から削除する制御を行うものである。
【００５０】
ユーザにより機能設定の操作が行われた場合に機能設定部５４ｆは、設定機能情報５５ｄに当該機能名を追加する。例えば図６に示すテーブルは図５（ａ）に示される機能（図５（ｂ）に反転表示で示される機能と同一）の名称を機能設定された機能の一覧として保持している。次に当該機能名を機能排他情報５５ａ（図７）の機能名欄７２で検索し当該機能名が機能名欄７２に見つかりかつ当該機能の設定情報欄７４に何も記載されていなければ「設定」を記載する。当該機能の設定情報欄７４が「排他」になっていたら当該設定情報欄７４を「設定」に書き換え当該排他機能欄７３の番号を番号欄７１に持つ機能の設定情報欄７４を「排他」にし、この機能の名称を設定機能情報５５ｄから削除するとともに排他解除メッセージ表示部５４ｄに解除した機能の名称と解除メッセージを表示する指示を送信する。ユーザにより設定解除の操作が行われた場合には機能設定部５４ｆは、設定機能情報５５ｄから当該機能名称を削除する。
【００５１】
機能詳細設定部５４ｇは、各機能の内容を設定するための制御で、前記機能詳細設定画面で入力された設定情報を詳細設定情報５５ｃに格納する。例えば図８に示すテーブルのように詳細設定欄８２には機能名欄８１に示される各機能に対する設定が格納される。機能詳細設定情報には全機能の詳細設定情報が格納され、デジタル複合機立ち上げ時の初期値はデフォルト設定情報５５ｂに記憶されるデフォルト値とする。
【００５２】
設定登録部５４ｈは、機能リスト画面でユーザが図５（ｂ）に示される設定登録キー５２ｆを押すことによりこの時点において設定されている機能をその詳細設定内容とともに設定登録情報５５ｆとして記憶する制御を行うものである。このために設定登録部５４ｈは設定機能情報５５ｄに格納されている全ての機能名、および詳細設定情報５５ｃからその機能に対する詳細設定を取得し設定登録情報５５ｆとして記憶する。
【００５３】
登録呼出部５４ｉは、機能リスト画面でユーザが図５（ｂ）に示されるショートカットキー５２ｇを押すことにより設定登録部５４ｈにより登録された内容で機能設定を行う制御のためのものである。このために登録呼出部５４ｉは設定登録情報５５ｆの内容を読み取り、設定機能情報５５ｄの内容を消去し、設定登録情報５５ｆに格納された各機能名を設定機能情報５５ｄに格納する。また、設定登録情報５５ｆに格納された各機能の詳細設定（８２と同じ）で詳細設定情報５５ｃの詳細設定８２を書き換える。
【００５４】
実行制御部５４ｊは、ユーザの指示に従いコピーを開始する制御を行うものである。ユーザによりスタートキー４０２が押されることにより実行制御部５４ｊがコピー開始の指示を受け付けると、実行制御部５４ｊは詳細設定情報５５ｃを使用する機能の機能名を設定機能情報５５ｄから取得し、これらの機能に対する詳細設定を詳細設定情報５５ｃから取得する。また、設定機能情報に格納されている機能以外の機能に対する詳細設定はデフォルト設定情報５５ｂから取得する。次に実行制御部５４ｊは、これらの情報（詳細設定情報の詳細設定とデフォルト設定情報の詳細設定）をマージして全機能の設定条件として制御部４１に渡し、コピー実行指示を制御部４１に出す。
【００５５】
次に図９のフローチャートに従い、上記デジタル複合機１を複写機として使用する場合の機能設定における操作部４００の処理の流れを説明する。ここでは機能の詳細設定は既にされているものとする。Ｓ１０では、ユーザがタッチパネルの機能リスト画面において機能キーを複合機アイコン５２ｅに対してドラッグアンドドロップ操作することにより機能設定操作が行われたか否かを機能設定部５４ｆがチェックする。機能設定操作が行われたらＳ１２に進む。機能設定操作が行われなければＳ２４に進む。Ｓ１２では、Ｓ１０で機能設定操作が行われた機能の機能名を機能設定部５４ｆが機能排他情報５５ａの機能名７２と比較し、一致するものがあればＳ１４に進む。一致するものがなければＳ２２に進む。
【００５６】
Ｓ１４では、機能設定部５４ｆは機能排他情報の一致した機能名の設定情報欄７４が「排他」であるか否かをチェックする。「排他」であれば、Ｓ１０で機能設定が指示された機能とは同時に設定できない機能が既に設定されているということなのでＳ１６に進む。設定情報欄７４が「排他」でなければ、Ｓ２０に進む。Ｓ１６では、機能設定部５４ｆは機能排他情報５５ａの排他機能欄７３の番号が番号欄７１にある機能の機能名を取得し、設定機能情報５５ｄからこの機能名を削除する。Ｓ１８では、機能設定部５４ｆは上記設定機能情報５５ｄから削除した機能名を機能解除メッセージ表示部５４ｄに渡し機能解除メッセージを表示するように指示する。機能解除メッセージ表示部５４ｄはこれを受け上記機能に対する機能解除メッセージを表示する。
【００５７】
Ｓ２０では、機能設定部５４ｆはＳ１０で設定指示された機能に対する機能排他情報５５ａの設定情報欄７４を「設定」とすると同時に当該機能と排他関係にある機能の設定情報欄７４を「排他」として、後者の機能の機能名を排他機能表示部５４ｃに渡し当該機能の機能キーを網掛け表示する指示を排他機能表示部５４ｃに行う。排他機能表示部５４ｃでは、これを受け当該機能キーを網掛け表示する。Ｓ２２では、機能設定部５４ｆは設定指示された機能の機能名を設定機能情報５５ｄに登録する。加えて、機能設定部５４ｆは設定指示された機能の機能名を設定機能表示部５４ｂに渡し当該機能キーを反転表示することを指示する。設定機能表示部５４ｂはこれを受け上記機能キーを反転表示する。
【００５８】
Ｓ２４では、設定登録部５４ｈはユーザにより設定登録キー５２ｆが選択されたか否かをチェックし、設定機能をショートカットとして設定するか否かを判断する。設定登録キー５２ｆが選択されなければＳ２８へ進む。設定登録キー５２ｆが選択された場合には、Ｓ２６へ進む。Ｓ２６では、設定登録部５４ｈは設定機能情報５５ｄに格納されている全ての機能名、および詳細設定情報５５ｃからその機能に対する詳細設定を取得し設定登録情報５５ｆとして記憶する。
【００５９】
Ｓ２８では、登録呼出部５４ｉはユーザによりショートカットキー５２ｇが選択されたか否かをチェックし、登録された機能設定を使用して機能設定を行うか否かを判断する。ショートカットキー５２ｇが選択されなければＳ３２へ進む。ショートカットキー５２ｇが選択された場合には、Ｓ３０へ進む。Ｓ３０では、登録呼出部５４ｉは現在の設定機能情報５５ｄを消去し、設定登録情報５５ｆに登録された機能名を設定機能情報５５ｄに登録する。加えて、登録呼出部５４ｉは設定登録情報５５ｆの詳細設定（８２と同じ）を詳細設定情報５５ｃの対応する機能に対し設定する。
【００６０】
Ｓ３２では、実行制御部５４ｊは詳細設定情報５５ｃの詳細設定とデフォルト設定情報５５ｂの詳細設定をマージして全機能の設定条件として制御部４１に渡すとともにコピー実行指示を制御部４１に送信する。これにより設定された諸条件に基づきデジタル複合機１でコピーが行われる。
【００６１】
ここで、図１０を使用してＳ１０の機能設定指示を受け付ける処理をもう少し詳しく説明する。Ｓ１０１では、タッチパネル部５２が機能キーが押圧されたか否かをチェックする。押圧されていなければＳ１０１を繰り返す。押圧された場合には押圧された機能キーの種類を一時的に記憶しＳ１０３に進む。Ｓ１０３では、タッチパネル部５２が前記押圧が解除されたか否かをチェックする。解除されていなければＳ１０３を繰り返す。解除されたらＳ１０５に進む。
【００６２】
Ｓ１０５では、タッチパネル部５２は押圧が解除された位置を検出する。Ｓ１０７では、タッチパネル部５２は前記検出された位置が複合機アイコン内又は基本タグ内であるか否かをチェックする。複合機アイコン内又は基本タグ内であればＳ１０９へ進む。Ｓ１０９では、タッチパネル部５２が前記一時記憶された機能キーの機能の機能設定指示を受け付け、機能設定部５４ｆにその旨を送信する。機能設定部５４ｆは前記機能の機能設定指示を受け付ける。
【００６３】
Ｓ１０７において前記検出された位置が複合機アイコン内又は基本タグ内でなければＳ１１１へ進む。Ｓ１１１では、タッチパネル部５２が前記検出された位置が前記一時的に記憶した機能キーと同一の機能キー内であるか否かをチェックする。同一の機能キー内であればＳ１１３へ進む。Ｓ１１３では、タッチパネル部５２が前記一時記憶された機能キーの機能の機能詳細設設定指示を受け付け、機能詳細設定部５４ｇにその旨を送信する。機能詳細設定部５４ｇは前記機能詳細設定指示を受け付ける。Ｓ１１１において前記検出された位置が前記同一の機能キー内でなければＳ１０１へ戻り、新たな機能キー押圧を受け付ける。
【００６４】
このように本実施形態によればデジタル複合機１が複写機として実行される時に使用する機能をユーザが本デジタル複合機１に事前に設定する場合には、タッチパネル５２に表示された機能リスト画面上で設定したい機能の機能キーを本デジタル複合機を模したアイコン５２ｅ上または「基本」タグ５２ｃ上にドラッグアンドドロップ操作することにより行うことができる。また、解除する場合にはタッチパネルの基本画面上で解除したい機能の機能キーを「機能リスト」タグ上にドラッグアンドドロップ操作することにより行うことができる。このためユーザはより少なくかつ単純な操作で機能を設定または解除できる。また、前記機能設定を登録することができ、他の機能設定によるコピーの実行が行われた後にワンボタンで前記機能設定を復元することできる。このためユーザはより少なくかつ単純な操作で設定機能の一覧を登録でき、機能設定を登録した時点の状態にワンボタンで回復できる（ショートカット）。
【００６５】
次に本発明の第２の実施形態を説明する。第１の実施形態では機能を設定する際にその機能と排他関係にある機能が既に設定されていた場合には、既に設定されていた機能を設定解除し、新たな機能を設定するとともに既に設定されていた機能を解除した旨をメッセージとしてタッチパネル５２上に表示したが、本実施形態においては、設定しようとした機能と排他関係にある機能が既に設定されていた場合には、タッチパネル５２上にユーザに機能の選択を求める画面（以下、排他機能選択画面という。）を表示し、ユーザの選択指示を受けることにより選択された方の機能を設定する。本実施形態における構成及び処理の流れは第１の実施形態の場合と多くの部分が同一であるので以下では第１の実施形態と相違する部分に限って詳細に説明する。
【００６６】
本実施形態においては図２の操作パネル部５１において操作制御部５４のみが異なる。図１１は第１の実施形態の場合の図４に相当する本実施形態における操作制御部の制御機能を示すブロック図である。表示制御として機能解除メッセージ表示部５４ｄが削除され、排他機能選択画面表示部５４ｋが加えられる。また、入力制御として排他機能選択部５４ｌが加えられる。
【００６７】
排他機能選択画面表示部５４ｋは、機能リスト画面においてユーザにより機能設定操作が行われた後、当該機能と排他関係にある機能の機能設定が行われた場合に、両機能の内どちらを選択するかをユーザに問い合わせ、機能の選択を入力するための画面を表示する制御を行うものである。例えば自動倍率選択が設定された後に自動用紙選択が設定された場合には、図１２に示すような「機能を選択してください。」というメッセージとともに自動倍率選択キーと自動用紙選択キーが表示されたウィンドウが表示される。排他機能選択画面表示部５４ｋは機能設定部５４ｆから排他機能選択画面表示指示および選択を求める２つの機能の名称を受信することにより上記メッセージを表示する。
【００６８】
排他機能選択部５４ｌは、前記排他機能選択画面に対するユーザからの入力により選択された方の機能の設定を有効にする制御である。具体的には、選択された機能が既に設定されていた機能であれば、何も行わない。選択された機能が後に設定操作がなされた機能であれば後に設定操作がなされた機能の設定を機能設定部５４ｆに指示する。例えば自動倍率選択が設定された後に自動用紙選択が設定され、排他機能選択画面において自動倍率選択キーが選択された場合には何も行わない。排他機能選択画面において自動用紙選択キーが選択された場合には自動用紙選択を設定することを機能設定部５４ｆに指示する。
【００６９】
機能設定部５４ｆは、基本的に第１の実施形態の場合と同じであるが、ユーザにより機能設定の操作が行われた場合に当該機能を機能排他情報５５ａで検索し設定情報欄７４が「排他」になっていた場合の制御が第１の実施形態の場合と異なる。この場合、機能設定部は排他機能選択画面表示部５４ｋに当該機能名とその排他関係にある機能名および排他機能選択画面を表示する指示を送信する。また、排他機能選択部５４ｌから機能の設定指示が送られて来た場合には第１の実施形態の場合における排他機能が既に設定されている場合に設定操作が行われた場合と同様の制御を行う。
【００７０】
次に図１３のフローチャートに従い、本デジタル複合機１を複写機として使用する場合の機能設定における操作制御部５４の処理の流れを説明する。図９のステップ番号と同じ番号を持つステップの処理は図９と同じである。Ｓ１４からＳ２２までの処理についてのみ説明を行う。
【００７１】
Ｓ１４では、機能設定部５４ｆは機能排他情報５５ａの一致した機能名７２の設定情報欄７４が「排他」であるか否かをチェックする。「排他」であれば、Ｓ４０で機能設定が指示された機能とは同時に設定できない機能が既に設定されているということなのでＳ４２に進む。設定情報欄７４が「排他」でなければ、Ｓ２０に進む。Ｓ４２では、ユーザが排他関係にある前記機能のうちどちらの設定を行いたいかを問い合わせるための排他機能選択画面を排他機能選択画面表示部５４ｋがタッチパネル５２上に表示する。
【００７２】
Ｓ４４では、前記排他機能選択画面に対するユーザの入力を排他機能選択部５４ｌが受け付ける。Ｓ４６では、排他機能選択部５４ｌがＳ４４でユーザにより入力された情報を解析し既に設定されている機能が選択されたか否かを判断する。既に設定されている機能が選択された場合には、Ｓ４０に戻り、ユーザからの新たな機能設定指示等を待つ。もう一方の機能が選択された場合には、Ｓ１６に進む。Ｓ１６では、機能設定部５４ｆは機能排他情報５５ａから、設定する機能と排他関係にある機能の機能名を取得し、設定機能情報５５ｄからこの機能名を削除する。
【００７３】
Ｓ２０では、機能設定部５４ｆは設定する機能の機能排他情報５５ａの設定情報欄７４に「設定」と記載し、排他関係にある機能の設定情報欄７４には「排他」と記載して、後者の機能の機能名を排他機能表示部５４ｃに渡すとともに当該機能の機能キーを網掛け表示する指示を行う。排他機能表示部５４ｃでは、これを受け当該機能キーを網掛け表示する。Ｓ２２では、機能設定部５４ｆは設定指示された機能の機能名を設定機能情報５５ｄに登録する。加えて、機能設定部５４ｆは当該機能名を設定機能表示部５４ｂに渡し当該機能キーを反転表示することを指示する。設定機能表示部５４ｂはこれを受け上記機能キーを反転表示する。
【００７４】
ここで、図１４を使用してＳ４０の機能設定指示を受け付ける処理をもう少し詳しく説明する。Ｓ４０１では、タッチパネル部５２が機能キーがダブルクリックされたか否かをチェックする。ダブルクリックされていなければＳ４０１を繰り返す。ダブルクリックされた場合にはダブルクリックされた機能キーの種類を一時的に記憶しＳ４０３に進む。Ｓ４０３では、タッチパネル部５２は複合機アイコン又は基本タグがダブルクリックされたか否かをチェックする。ダブルクリックされていればＳ４０５へ進む。Ｓ４０５では、タッチパネル部５２が前記一時記憶された機能キーの機能の機能設定指示を受け付け、機能設定部５４ｆにその旨を送信する。機能設定部５４ｆは前記機能の機能設定指示を受け付ける。
【００７５】
Ｓ４０３において複合機アイコン又は基本タグがダブルクリックされていなければＳ４０８へ進む。Ｓ４０８では、キャンセルキーが押されたか否かをチェックする。キャンセルキーが押されていない場合にはＳ４０３へ戻り複合機アイコン又は基本タグがダブルクリックされるのを待つ。キャンセルキーが押された場合にはＳ４０１へ戻り新たな新たな機能キーのダブルクリックを受け付ける。
【００７６】
このように本実施形態によればデジタル複合機１が複写機として実行される時に使用する機能をユーザが本デジタル複合機１に事前に設定する場合に本機能と同時に設定することが出来ない機能が既に設定されていたときは、前記排他機能選択画面が表示され、既に設定されていた機能と設定しようとした機能のうちどちらを設定するかをユーザが選択することが出来る。このためユーザはうっかり排他関係にある機能を設定して既に設定されていた機能を間違って消去してしまうことを起こしにくい。
【００７７】
次に本発明の第３の実施形態を説明する。第１および第２の実施形態では機能リスト画面が表示されている場合に複合機アイコン５２ｅは１つのみ表示されていたが、本実施形態においては図１５に示すように２つの複合機アイコン（第１複写機アイコン５２ｈおよび第２の複合機アイコン５２ｉ）が表示され、その両方を使用して機能を設定できる。ただし、これらの複写機アイコンは同時には使用できず、複写機の非実行時には第１の複写機アイコン５２ｈのみ、複写機の実行時には第２の複写機アイコン５２ｉのみを使用可能である。この場合、本複合機が実行される際に使用される機能は第１の複合機アイコンに対する機能として設定されている機能である。また、複写機の実行終了時に第１および第２の複合機アイコンに対する機能設定が共になされている場合には、複写機の実行終了時に第２の複合機アイコンに対する機能設定を第１の複合機アイコンに対する機能設定となるようにシフトする。また、複合機の実行中には第１の複合機アイコンに対する機能設定操作は禁止し、第２の複合機アイコンに対する機能設定操作のみ行えるようにする。また、複写機の非実行中にはこれと反対にする。これにより複写機の実行中に次の実行に対する機能を設定できる。
【００７８】
本実施形態における構成及び処理の流れは第１の実施形態の場合と同一の部分があるので以下では第１の実施形態と相違する部分に限って詳細に説明する。本実施形態においては図２の操作パネル部５１において操作制御部５４および記憶部５５が異なる。図１６は第１の実施形態の場合の図３に相当する本実施形態における記憶部５５に記憶する情報を示すブロック図である。第１の実施形態における設定機能情報５５ｄが第１設定機能情報５５ｇとなり第２設定機能情報５５ｈが新たに加えられる。図１７は第１の実施形態の場合の図４に相当する本実施形態における操作制御部５４の制御機能を示すブロック図である。本実施形態においてはショートカット機能は設けないので第１実施形態における設定登録部５４ｈおよび登録呼出部５４ｉは削除される。また、設定機能情報シフト部５４ｍと機能設定制限部５４ｎが加えられる。
【００７９】
機能設定画面表示部５４ａは第１の実施形態の場合の機能リスト画面表示に加えて複合機アイコンを図１５に示すようにもう１つ表示する。画面上方の複合機アイコン５２ｈを第１アイコンとし画面下方の複合機アイコン５２ｉを第２アイコンとする。また、機能設定画面表示部は機能設定制限部５４ｎからの指示により第１アイコンを通常表示５２ｈと実行中表示（例えば、５２ｊのような表示）の間で表示を切り替えたり、第２アイコンを網掛け表示５２ｉと通常表示５２ｋの間で表示を切り替えたりする。
【００８０】
機能設定制限部５４ｎは制御部４１からの信号を取得しコピーが実行中か否かを判断し、コピーが実行中であれば第１アイコンを前記実行中表示にすることを機能設定画面表示部５４ａに指示し、第１アイコンを使用した機能設定を受け付けなくする（単に受け付けなくするだけでなく音声を発したり、メッセージを表示したりしてもよい。）。コピーが実行中でないときは、第２アイコンを網掛け表示するように機能設定画面表示部５４ａに指示し、第２アイコンを使用した機能設定を受け付けなくする。
【００８１】
機能設定部５４ｆは第１アイコンが有効な場合に第１アイコンを使用した機能設定指示が行われた場合には第１設定機能情報５５ｇへ機能設定を行う。第２アイコンが有効な場合に第２アイコンを使用した機能設定指示が行われた場合には第２設定機能情報５５ｈへ機能設定を行う。機能設定部ｆの第１設定機能情報５５ｇおよび第２設定機能情報５５ｈへの設定の制御は第１実施形態における設定機能情報５５ｄへの設定の制御と同一である。
【００８２】
実行制御部５４ｊは第１設定機能情報５５ｇを設定機能情報として第１の実施例の場合と同様の制御を行う。設定機能情報シフト部５４ｍは制御部４１からコピーの実行が終了した旨の信号を受けたときに、第１設定機能情報５５ｇの内容を消去し、第２設定機能情報５５ｈの内容を第１設定機能情報５５ｇに移動した後、第２設定機能情報５５ｈの内容を消去する。
【００８３】
次に図１８のフローチャートを使用して本実施形態における操作制御部５４の制御の流れを説明する。排他関係にある機能が存在する機能が設定された場合の制御について第１の実施形態と同様であるのでここでは説明しない。Ｓ５０では、機能設定制限部５４ｎが制御部４１からコピー実行中であるか否かを示す信号を受け取りコピー実行中であるか否かを判断し、コピー実行中でなければ（Ｓ５０でＮＯ）、Ｓ５２へ進む。コピー実行中であればＳ５８へ進む。
【００８４】
Ｓ５２では、機能設定制限部５４ｎが機能設定画面表示部５４ａに第２アイコンを網掛け表示５２ｉにする指示を出すとともに第２アイコンを使用した機能設定を受け付けないようにする。機能設定部５４ｆは第１アイコンを使用した機能設定指示が行われたか否かを検知し、前記機能設定指示が行われていればＳ５４へ進む。前記機能設定指示が行われていなければＳ５６へ進む。Ｓ５４では、第１の実施形態におけるＳ２２と同じ処理が行われる。ただし、この場合には設定機能情報の代わりに第１設定機能情報が使用される。Ｓ５６では、第１実施形態におけるＳ３２と同じ処理を行う。ただし、この場合には設定機能情報の代わりに第１設定機能情報が使用される。
【００８５】
Ｓ５８では、機能設定制限部５４ｎが機能設定画面表示部５４ａに第１アイコンを実行中表示５２ｊにする指示を出すとともに第１アイコンを使用した機能設定を受け付けないようにする。機能設定部５４ｆは第２アイコンを使用した機能設定指示が行われたか否かを検知し、前記機能設定指示が行われていればＳ６０へ進む。前記機能設定指示が行われていなければＳ６２へ進む。Ｓ６０では、第１の実施形態におけるＳ２２と同じ処理が行われる。ただし、この場合には設定機能情報の代わりに第２設定機能情報が使用される。
【００８６】
Ｓ６２では、設定機能情報シフト部５４ｍが制御部４１から送られるコピーが終了した旨の信号を監視する。コピー終了の信号を受信したらＳ６４に進む。コピー終了の信号を受信しなかったらＳ５０に戻る。Ｓ６４では、第２設定機能情報５５ｈが設定されている場合には第１設定機能情報５５ｇを消去し、第２設定機能情報５５ｈの内容を第１設定機能情報５５ｇに移動し、第２設定機能情報５５ｈを消去する。第２設定機能情報５５ｈが設定されていなければ何もしない。
【００８７】
このように本実施形態によればデジタル複合機１が複写機として実行される時に使用する機能を複写機がコピーを実行している最中に第２のアイコンを使用して設定できる。このためユーザは機能の設定をコピーが実行中であるからといってコピー終了まで待つ必要がなく、コピー実行中に機能設定を行うことが出来る。
【００８８】
第３の実施形態においては、排他機能表示に関する制御および排他機能が既に設定されていた場合の制御について説明しなかったが、第１または第２の実施形態と同様の制御によりこれらの制御を行うことが出来る。
【００８９】
第３の実施形態においては、ショートカットの機能を備えていなかったが、ショートカット機能を備えさせてもよい。
【００９０】
第１、第２および第３の実施形態においてタッチパネルにおける機能選択の操作はドラッグアンドドロップ操作により行ったが、例えば機能キーをダブルクリックした後、複合機アイコンをダブルクリックすることにより行えるようにしてもよい。また、例えば機能キーをシングルクリックした後、複合気アイコンをシングルクリックすることにより行えるようにしてもよい。この場合、機能詳細設定は機能キーをダブルクリックすることにより行えるようにするとよい。
【００９１】
第１、第２および第３の実施形態においてはタッチパネルを使用したが、タッチパネルの代わりにマウスやトラックボール等のポインティングデバイスを使用して画面上の位置を指定できるようにしてもよい。
い。
【００９２】
第１、第２の実施形態においては、ただ一つのショートカットしか登録できなかったが、複数のショートカットを登録できるようにしてもよい。ショートカット名称をユーザが登録時に入力することにより各ショートカットを識別できるようにし、登録されたショートカットの中から任意のショートカットをユーザが選択できるようにすればよい。
【００９３】
【発明の効果】
請求項１に記載の発明によれば、一連の機能が割り付けられたショートカットを作成するのに、ショートカットに割り付けたい機能の機能キーをドラッグし特定の位置にドロップするドラッグアンドドロップ操作を一連の機能の数分行うことにより割り付けられるので、機能をより簡単で少ない操作でショートカットに割り付けることが出来る。
【００９４】
請求項２に記載の発明によれば、一連の機能が割り付けられたショートカットを作成するのに、ショートカットに割り付けたい機能に対応した機能キーをダブルクリックした後に特定の位置をダブルクリックする操作を一連の機能の数分行うことにより割り付けられるので、一連の機能をより簡単で少ない操作でショートカットに割り付けることが出来る。
【００９５】
請求項３に記載の発明によれば、前記機能設定操作においてドロップまたはダブルクリックする場所に前記電気機器の形状を模した機器アイコンが表示されているので、ユーザにとって操作の方法がわかりやすい。
【００９６】
請求項４に記載の発明によれば、設定した機能について装置を模したアイコンの対応する部分の表示が通常とは違った表示方法で表示されるので設定した機能が何であったかを認識しやすい。
【００９７】
請求項５に記載の発明によれば、ユーザは既に設定した機能と排他関係にある機能を認識しやすいので、排他関係にある機能を両方設定してしまう等の間違いを犯しにくい。
【００９８】
請求項６に記載の発明によれば、ユーザが既に設定した機能と排他関係にある機能を設定した場合には、自動的に先に設定された機能を解除し後に設定した機能を有効にするので、排他関係にある機能が両方設定されてしまうことがない。
【００９９】
請求項７に記載の発明によれば、ユーザが既に設定した機能と排他関係にある機能を設定した場合には、ユーザがどちらの機能を本当に設定したいのかを選択できるので、排他関係にある機能が両方設定されてしまうことがない。また、ユーザが望むまない機能を設定してしまうことがない。
【０１００】
請求項８に記載の発明によれば、ユーザが設定した機能群を一括して登録でき登録した機能群を一度に呼び出し装置に設定することが出来るので、ユーザは簡単に装置を好みの設定状態にすることが出来る。
【０１０１】
請求項９に記載の発明によれば、本機能設定装置は２種類の機能設定を記憶することが出来るとともに前記２種類の機能設定に対する設定操作を機能設定画面上の別の場所を使用して行うことが出来るので、電気機器が運転中で機能設定が使用されている最中でも別の機能設定を行うことが出来る。
【図面の簡単な説明】
【図１】本発明の一実施の形態による分割送信機能を用いたデジタル複合機の機械的構成を主に示す側面概略図である。
【図２】図１に示すデジタル複合機の電気的構成を主に示すブロック図である。
【図３】図２に示す記憶部の本発明に係る記憶情報を示すブロック図である。
【図４】図２に示す操作制御部の本発明に係る機能の構成を示すブロック図である。
【図５】タッチパネルに表示される機能設定を行うための画面の例を示す図で、（ａ）は基本画面の例、（ｂ）は機能リスト画面の例である。
【図６】設定機能情報の例としてのテーブルを示す図である。
【図７】機能排他情報の例としてのテーブルを示す図である。
【図８】詳細設定情報の例としてのテーブルを示す図である。
【図９】操作制御部の処理の流れを示すフローチャート図である。
【図１０】機能設定指示受付の処理の流れを示すフローチャート図である。
【図１１】第２の実施形態における操作制御部の本発明に係る機能の構成を示すブロック図である。
【図１２】第２の実施形態における排他機能選択画面の例を示す図である。
【図１３】第２の実施形態における操作制御部の処理の流れを示すフローチャート図である。
【図１４】第２の実施形態における機能設定指示受付の処理の流れを示すフローチャート図である。
【図１５】第３の実施形態におけるタッチパネルに表示される機能設定を行うための画面の例を示す図で、（ａ）はコピーが実行中でない場合の例、（ｂ）はコピーが実行中のの例である。
【図１６】第３の実施形態における記憶部の本発明に係る記憶情報を示すブロック図である。
【図１７】第３の実施形態における操作制御部の本発明に係る機能の構成を示すブロック図である。
【図１８】第３の実施形態における操作制御部の処理の流れを示すフローチャート図である。
【符号の説明】
１  デジタル複合機（画像送信装置）
４１  制御部
５１  操作パネル部
５２  タッチパネル部
５３  操作キー部
５４  操作パネル制御部
５５  記憶部
５４ａ  機能設定画面表示部（表示手段）
５４ｂ  設定機能表示部（設定機能表示手段）
５４ｃ  排他機能表示部（排他機能表示手段）
５４ｆ  機能設定部（受付手段、機能設定手段、複数設定記憶手段）
５４ｈ  設定登録部（設定登録手段）
５４ｉ  登録呼出部（機能設定短縮手段）
５４ｋ  排他機能選択画面表示部（排他機能選択手段）
５４ｌ  排他機能選択部（排他機能選択手段）
５４ｍ  設定機能情報シフト部（設定機能情報シフト手段）
５４ｎ  機能設定制限部（機能設定制限手段）
５５ａ  機能排他情報（記憶手段）
５５ｄ  設定機能情報（機能設定手段）
５５ｇ  第１設定機能情報（複数設定記憶手段）
５５ｈ  第２設定機能情報（複数設定記憶手段）
【図１】
2005007579.tif 000003
【図２】
2005007579.tif 000004
【図３】
2005007579.tif 000005
【図４】
2005007579.tif 000006
【図５】
2005007579.tif 000007
【図６】
2005007579.tif 000008
【図７】
2005007579.tif 000009
【図８】
2005007579.tif 000010
【図９】
2005007579.tif 000011
【図１０】
2005007579.tif 000012
【図１１】
2005007579.tif 000013
【図１２】
2005007579.tif 000014
【図１３】
2005007579.tif 000015
【図１４】
2005007579.tif 000016
【図１５】
2005007579.tif 000017
【図１６】
2005007579.tif 000018
【図１７】
2005007579.tif 000019
【図１８】
2005007579.tif 000020